(57)【要約】      （修正有）【課題】作業者が階段を往来する際の負担が軽減される階段用作業足場を提供する。【解決手段】階段室に設置される階段用作業足場は、第１床パネル２０を含む上階側部材２と、第２床パネル４０を含む下階側部材４と、第１床パネル２０と第２床パネル４０との間に配置される渡し床パネル６０と、突っ張り部材８０とを具備する。突っ張り部材８０は、下階側部材４に固定される取付部と、階段室の側壁に接触する接触部とを含む。上階側部材２と階段室の側壁との間には、人が通過可能な空間が存在し、下階側部材４と階段室の側壁との間には、人が通過可能な空間が存在する。また、サイド延長ステージ６２と後部延長ステージ６４を設置した場合は、作業者の滑落リスクがより低減する。【選択図】図３
2019099996.tif 000002
【特許請求の範囲】
【請求項１】
階段室に設置される階段用作業足場であって、
第１床パネルを含む上階側部材と、
第２床パネルを含む下階側部材と、
前記第１床パネルと前記第２床パネルとの間に配置される渡し床パネルと、
突っ張り部材と
を具備し、
前記突っ張り部材は、前記下階側部材に固定される取付部と、前記階段室の側壁に接触する接触部とを含み、
前記上階側部材と前記階段室の側壁との間には、人が通過可能な空間が存在し、
前記下階側部材と前記階段室の側壁との間には、人が通過可能な空間が存在する
階段用作業足場。
【発明の詳細な説明】
【技術分野】
【０００１】
本発明は、階段用作業足場に関する。
【背景技術】
【０００２】
住宅など建物内の天井部分の電気配線や下地桟、石膏ボード・クロスの貼り付けなど天井部分や壁面の高所に対する施工は、床面に脚立やはしご等の足場を組んで行われる。
【０００３】
関連する技術として、特許文献１には、廻り階段用作業足場が記載されている。特許文献１に記載の廻り階段用作業足場は、折り畳み可能な作業床を備える。そして、折り畳み可能な作業床の一部を折り畳むことにより作業床に開口部が形成される。作業者は、当該開口部を通って、上階と下階との間を移動することが可能である。
【先行技術文献】
【特許文献】
【０００４】
【特許文献１】特許第５８３７３３２号公報
【発明の概要】
【発明が解決しようとする課題】
【０００５】
特許文献１に記載の廻り階段用作業足場では、作業者が上階と下階との間を移動するために、作業床を折り畳む必要がある。作業者が上階と下階との間で頻繁に往来する場合には、作業床の折り畳みと作業床の展開とを繰り返し行う必要がある。このため、作業効率が低下する。
【０００６】
また、特許文献１に記載の廻り階段用作業足場では、脚部間の間隔が、階段の幅寸法にあわせて設定されているため、作業者が、階段を往来する場合には、脚部間の空間を通過する必要がある。仮に、脚部間につなぎ部が配置されている場合には、つなぎ部を跨ぐか、あるいは、つなぎ部の下をくぐり抜ける動作が必要となる。
【０００７】
そこで、本発明の目的は、作業者が階段を往来する際の負担が軽減される階段用作業足場を提供することである。
【課題を解決するための手段】
【０００８】
本発明は、以下に示す、階段用作業足場に関する。
【０００９】
（１）階段室に設置される階段用作業足場であって、
第１床パネルを含む上階側部材と、
第２床パネルを含む下階側部材と、
前記第１床パネルと前記第２床パネルとの間に配置される渡し床パネルと、
突っ張り部材と
を具備し、
前記突っ張り部材は、前記下階側部材に固定される取付部と、前記階段室の側壁に接触する接触部とを含み、
前記上階側部材と前記階段室の側壁との間には、人が通過可能な空間が存在し、
前記下階側部材と前記階段室の側壁との間には、人が通過可能な空間が存在する
階段用作業足場。
【発明の効果】
【００１０】
本発明により、作業者が階段を往来する際の負担が軽減される階段用作業足場を提供できる。
【図面の簡単な説明】
【００１１】
【図１】図１は、階段用作業足場が、直線状の階段室に設置された場合の一例を模式的に示す概略斜視図である。
【図２】図２は、階段用作業足場が、直線状の階段室に設置された場合の他の一例を模式的に示す概略斜視図である。
【図３】図３は、階段用作業足場が、廻り階段を備えた階段室に設置された場合の一例を模式的に示す概略斜視図である。
【図４】図４は、上階側部材および下階側部材と階段室の側壁との間の空間について説明するための模式図である。
【図５】図５は、階段用作業足場を構成する部品の一例を示す模式図である。
【図６】図６は、階段用作業足場の設置方法の一例を示すフローチャートである。
【図７】図７は、廻り階段用の階段用作業足場の設置後の状態を模式的に示す概略平面図である。
【図８】図８は、突っ張り部材が間仕切壁を押圧している様子を模式的に示す図である。
【発明を実施するための形態】
【００１２】
以下、図面を参照しつつ、実施形態における階段用作業足場について、詳しく説明する。なお、本明細書において、同種の機能を有する部材には、同一または類似の符号が付されている。そして、同一または類似の符号の付された部材について、繰り返しとなる説明が省略される場合がある。
【００１３】
（実施形態の概要）
図１乃至図４を参照して、実施形態における階段用作業足場１の概要について説明する。図１は、階段用作業足場１Ａが、直線状の階段室に設置された場合の一例を模式的に示す概略斜視図である。図２は、階段用作業足場１Ａが、直線状の階段室に設置された場合の他の一例を模式的に示す概略斜視図である。図３は、階段用作業足場１Ｂが、廻り階段を備えた階段室に設置された場合の一例を模式的に示す概略斜視図である。図４は、上階側部材２および下階側部材４と階段室の側壁９０との間の空間について説明するための模式図（概略正面図）である。なお、図４に示される階段用作業足場１において、脚部、支柱、および、床パネル以外の部材は、図面の複雑化を避けるために記載が省略されている。
【００１４】
図１（または図２、あるいは図３）を参照して、階段用作業足場１の構成について説明する。階段用作業足場１は、階段室に設置される階段用作業足場である。階段用作業足場１は、第１床パネル２０を含む上階側部材２と、第２床パネル４０を含む下階側部材４と、第１床パネル２０と第２床パネル４０との間に配置される渡し床パネル６０と、突っ張り部材８０とを備える。
【００１５】
突っ張り部材８０は、下階側部材４に固定される取付部８１と、階段室の側壁に接触する接触部８２とを含む。なお、図１乃至図３において、階段用作業足場１の設置状態を把握し易くするために、階段室の側壁の図示が省略されている。
【００１６】
突っ張り部材８０は、ばね等の付勢部材による付勢力を利用して、接触部８２を階段室の側壁に押し付ける。このため、例えば、下階側部材４の脚部間の幅（階段の幅方向に平行な方向における幅）が小さい場合であっても、下階側部材４の安定性が損なわれない。
【００１７】
図４に示されるように、実施形態では、上階側部材２と階段室の側壁９０との間に、人が通過可能な空間ＳＰ１が存在する。また、下階側部材４と階段室の側壁９０との間に、人が通過可能な空間ＳＰ２が存在する。このため、作業者は、空間ＳＰ１および空間ＳＰ２を通って、階段を往来することが可能である。なお、空間ＳＰ２の幅Ｗ２（階段の幅方向に平行な方向における寸法）は、例えば、３０ｃｍ以上６０ｃｍ以下であることが好ましい。幅Ｗ２が３０ｃｍ未満であると、作業者が、空間ＳＰ２を通過することが困難となるおそれがある。他方、幅Ｗ２が６０ｃｍより大きいと、下階側部材４の脚部間の幅Ｗ４が小さくなり、階段用作業足場１の安定性が損なわれるおそれがある。同様に、空間ＳＰ１の幅Ｗ１（階段の幅方向に平行な方向における寸法）は、例えば、３０ｃｍ以上６０ｃｍ以下であることが好ましい。
【００１８】
階段の幅は、通常、８０〜１００ｃｍ程度である。よって、下階側部材４の脚部間の幅Ｗ４は、３０ｃｍ以上７０ｃｍ以下、より好ましくは、３０ｃｍ以上４０ｃｍ以下であることが好ましい。同様に、上階側部材２の脚部間の幅は、３０ｃｍ以上７０ｃｍ以下、より好ましくは、３０ｃｍ以上４０ｃｍ以下であることが好ましい。なお、本明細書において、脚部間の幅は、階段に正対した作業者からみて、右脚部の左端から左脚部の右端までの距離を意味する。
【００１９】
なお、図４に記載の例では、直線状の階段室に対応して設置された階段用作業足場１Ａと階段室の側壁９０との間に人が通過可能な空間が設けられる例について説明された。代替的に、廻り階段用の階段室に対応した階段用作業足場１Ｂを設置する場合には、階段用作業足場１Ｂと階段室の側壁９０（より具体的には、階段室を上階側と下階側とに仕切る間仕切壁に対向する側壁）との間に人が通過可能な空間が設けられる。
【００２０】
実施形態では、階段用作業足場と階段室の側壁９０との間に人が通過可能な空間が設けられる。このため、作業者が階段を往来する際の負担が軽減される。なお、実施形態では、下階側部材４の脚部間の幅が階段の幅よりもかなり小さく、上階側部材２の脚部間の幅が階段の幅よりもかなり小さい。しかし、実施形態では、階段用作業足場に階段室の側壁を押圧する突っ張り部材が配置されるため、階段用作業足場の安定性が損なわれない。
【００２１】
（階段用作業足場を構成する部品）
図５を参照して、階段用作業足場１を構成する部品の一例について説明する。図５は、階段用作業足場１を構成する部品の一例を示す模式図である。
【００２２】
階段用作業足場１の部品には、例えば、上階側ベース部材２２（１台）と、下階側ベース部材４２（１台）と、上階側フレーム部材２３（２台）と、下階側フレーム部材４３（２台）と、中間支柱４４（２台）と、中間板４５（１枚）と、ベース部材固定具７２（４本）と、第１連結具７３（２本）と、第２連結具７４（２本）と、クランプ７５（１個）と、第１床パネル２０（１枚）と、第２床パネル４０（１枚）と、第１渡し床パネル６０ａ（１枚）と、第２渡し床パネル６０ｂ（１枚）と、第３渡し床パネル６０ｃ（１枚）と、サイド延長ステージ６２（２枚）と、後部延長ステージ６４（１枚）と、第１突っ張り部材８０ａ（２本）と、第２突っ張り部材８０ｂ（２本）と、支柱ブラケット６５（３台）と、手摺用支柱６７（３本）と、手摺６９（４本）とが含まれる。
【００２３】
なお、上述の部品は、１例であって、上述の部品のうちのいくつかが省略されてもよいし、上述の部品以外の部品が追加されてもよい。また、各部品の数は、上述の例に限定されない。
【００２４】
例えば、直線階段用の階段用作業足場においては、上述の部品のうち、第１連結具７３（２本）、第１渡し床パネル６０ａ（１枚）、後部延長ステージ６４、および、第１突っ張り部材８０ａ（２本）が省略されてもよい。また、廻り階段用の階段用作業足場においては、上述の部品のうち、第２連結具７４（２本）、第２渡し床パネル６０ｂ（１枚）、第３渡し床パネル６０ｃ（１枚）、第２突っ張り部材８０ｂ（２本）、支柱ブラケット６５（３本）、手摺用支柱６７（３本）、および、手摺６９（４本）が省略されてもよい。
【００２５】
上階側ベース部材２２は、上階に近い領域の階段上面に設置される部材である。上階側ベース部材２２は、例えば、アルミニウム合金製である。図５に記載の例では、上階側ベース部材２２は、上階側右側脚部２２１と、上階側左側脚部２２２と、下階側右側脚部２２３と、下階側左側脚部２２４と、上階側脚部（２２１または２２２）と下階側脚部（２２３または２２４）とを連結する連結部材２２５とを備える。
【００２６】
各脚部（２２１〜２２４）は、長さ調整可能である。また、下階側右側脚部２２３と下階側左側脚部２２４との間の間隔は、例えば、３０ｃｍ以上７０ｃｍ以下、より好ましくは、３０ｃｍ以上４０ｃｍ以下である。なお、右側脚部（２２１、２２３）と左側脚部（２２２、２２４）との間の間隔は、調整自在であってもよい。
【００２７】
下階側ベース部材４２は、下階に近い領域の階段上面に設置される部材である。下階側ベース部材４２は、例えば、アルミニウム合金製である。図５に記載の例では、下階側ベース部材４２は、上階側右側脚部４２１と、上階側左側脚部４２２と、下階側右側脚部４２３と、下階側左側脚部４２４と、上階側脚部（４２１または４２２）と下階側脚部（４２３または４２４）とを連結する連結部材４２５とを備える。
【００２８】
各脚部（４２１〜４２４）は、長さ調整可能である。また、下階側右側脚部４２３と下階側左側脚部４２４との間の間隔は、例えば、３０ｃｍ以上７０ｃｍ以下、より好ましくは、３０ｃｍ以上４０ｃｍ以下である。なお、右側脚部（４２１、４２３）と左側脚部（４２２、４２４）との間の間隔は、調整自在であってもよい。
【００２９】
上階側フレーム部材２３は、上階側ベース部材２２の上部に取り付けられる部材である。より具体的には、１つ目の上階側フレーム部材２３の上階側脚部が、上階側右側脚部２２１に取り付けられ、同部材の下階側脚部が、下階側右側脚部２２３に取り付けられる。また、２つ目の上階側フレーム部材２３の上階側脚部が、上階側左側脚部２２２に取り付けられ、同部材の下階側脚部が、下階側左側脚部２２４に取り付けられる。上階側フレーム部材２３は、例えば、アルミニウム合金製である。
【００３０】
下階側フレーム部材４３は、後述の中間支柱４４の上部に取り付けられる部材である。下階側フレーム部材４３は、中間支柱４４の上部に取り付けられる部材である点を除き、上階側フレーム部材２３と同様の部材である。よって、繰り返しとなる説明は省略する。
【００３１】
中間支柱４４は、下階側ベース部材４２と下階側フレーム部材４３との間に配置される部材である。中間支柱４４は、例えば、アルミニウム合金製である。図５に記載の例では、中間支柱４４は、梯子機能を備える梯子支柱である。この場合、上階側の梯子支柱が、上階側右側脚部４２１および上階側左側脚部４２２に取り付けられる。また、下階側の梯子支柱が、下階側右側脚部４２３および下階側左側脚部４２４に取り付けられる。
【００３２】
中間板４５は、上階側の梯子支柱と下階側の梯子支柱との間に架け渡される部材である。中間板４５は、床パネルであってもよい。
【００３３】
ベース部材固定具７２は、ベース部材（２２、４２）の右脚部（２２１、２２３、４２１、４２３）と左脚部（２２２、２２４、４２２、４２４）とを固定する部材である。各ベース部材固定具７２は、右脚部に固定される第１クランプ部と、左脚部に固定される第２クランプ部と、第１クランプと第２クランプ部とを連結する連結棒とを備える。各クランプは、工具を用いることなく、脚部に装着可能である。
【００３４】
第１連結具７３は、廻り階段用の階段用作業足場において、上階側部材２（より具体的には、上階側ベース部材２２）と下階側部材４（より具体的には、中間支柱４４）とを連結する部材である。各第１連結具７３は、第１クランプ部と、第２クランプ部と、第１クランプと第２クランプ部とを連結する連結棒とを備える。各クランプは、工具を用いることなく、支柱または脚部に装着可能である。
【００３５】
第２連結具７４は、直線階段用の階段用作業足場において、上階側部材２（より具体的には、上階側ベース部材２２）と下階側部材４（より具体的には、中間支柱４４）とを連結する部材である。各第２連結具７４は、第１クランプ部と、第２クランプ部と、第１クランプと第２クランプ部とを連結する連結棒とを備える。各クランプは、工具を用いることなく、支柱または脚部に装着可能である。
【００３６】
クランプ７５は、支柱または脚部に装着可能な部材である。
【００３７】
第１床パネル２０は、上階側フレーム部材２３の上部に取り付けられる部材である。第１床パネル２０は、２つの上階側フレーム部材２３に跨って配置される。
【００３８】
第２床パネル４０は、下階側フレーム部材４３の上部に取り付けられる部材である。第２床パネル４０は、２つの下階側フレーム部材４３に跨って配置される。
【００３９】
第１渡し床パネル６０ａは、廻り階段用の階段用作業足場において、第１床パネル２０と第２床パネル４０との間に配置される部材である。第１渡し床パネル６０ａの上面の高さは、第１床パネル２０の上面の高さと等しく、第２床パネル４０の上面の高さと等しいことが好ましい。
【００４０】
第２渡し床パネル６０ｂ（または、第３渡し床パネル６０ｃ）は、直線階段用の階段用作業足場において、第１床パネル２０と第２床パネル４０との間に配置される部材である。第２渡し床パネル６０ｂ（または、第３渡し床パネル６０ｃ）の上面の高さは、第１床パネル２０の上面の高さと等しく、第２床パネル４０の上面の高さと等しいことが好ましい。
【００４１】
なお、第２渡し床パネル６０ｂは、直線階段用の階段用作業足場において、サイド延長ステージ６２と共に用いられる部材である。他方、第３渡し床パネル６０ｃは、直線階段用の階段用作業足場において、手摺６９と共に用いられる部材である。
【００４２】
サイド延長ステージ６２は、第１床パネル２０または第２床パネル４０の側部に配置される部材である。サイド延長ステージ６２は、床パネル（２０、４０）と階段室の壁面との間の隙間の一部を埋める部材である。サイド延長ステージ６２を設置することにより、作業者の滑落リスクが低減される。
【００４３】
図５に記載の例では、サイド延長ステージ６２は、上板６２１と、上階側フレーム部材２３または下階側フレーム部材４３に嵌合する嵌合部６２２と、補強側板６２３と、連結部材６２４とを具備する。サイド延長ステージ６２の上板６２１の上面は、階段用作業足場の組み立て後に、第１床パネル２０の上面および第２床パネル４０の上面と面一になることが好ましい。図５に記載の例では、上板６２１は、平面視で、略矩形形状を有する。図５に記載の例では、嵌合部６２２は、道具を用いることなく、上階側フレーム部材２３または下階側フレーム部材４３に嵌合可能である。例えば、サイド延長ステージ６２を上方から下方に向かって移動させると、嵌合部６２２が、上階側フレーム部材２３または下階側フレーム部材４３に嵌合する（換言すれば、嵌合部６２２と上階側フレーム部材２３または下階側フレーム部材４３との間の嵌合は、抜き差し自在な嵌合である。）。補強側板６２３は、上板６２１に作用する荷重の少なくとも一部を支持する。図５に記載の例では、第１補強側板６２３ａが、上板６２１の第１端部（上板６２１の長手方向に沿う方向における一端部）に配置され、第２補強側板６２３ｂが、上板６２１の第２端部（上板６２１の長手方向に沿う方向における他端部）に配置されている。図５に記載の例では、各補強側板６２３が、正面視で、略三角形形状を有するが、各補強側板６２３の形状は、三角形形状に限定されず任意である。連結部材６２４は、第１補強側板６２３ａと第２補強側板６２３ｂとを接続し、サイド延長ステージ６２全体の強度を向上させる部材である。図５に記載の例では、連結部材６２４は棒状の部材である。
【００４４】
なお、サイド延長ステージ６２は、上階側フレーム部材２３または下階側フレーム部材４３に対して着脱自在である。このため、必要に応じて、サイド延長ステージ６２を上階側フレーム部材２３または下階側フレーム部材４３に取り付けること（または、取り外すこと）ができる。サイド延長ステージ６２の取り付けは、階段用作業足場の組み立て作業において、どのタイミングで行われてもよい。なお、階段の幅が相対的に狭い等の場合には、サイド延長ステージ６２は使用されなくてもよい。
【００４５】
後部延長ステージ６４は、廻り階段用の階段用作業足場において、第１床パネル２０および第２床パネル４０の後部に配置される部材である。後部延長ステージ６４は、床パネル（２０、４０）と階段室の壁面との間の隙間の一部を埋める部材である。後部延長ステージ６４を設置することにより、作業者の滑落リスクが低減される。
【００４６】
図５に記載の例では、後部延長ステージ６４は、上板６４１と、上階側フレーム部材２３および下階側フレーム部材４３に嵌合する嵌合部６４２と、補強側板６４３と、連結部材６４４とを具備する。後部延長ステージ６４の上板６４１の上面は、階段用作業足場の組み立て後に、第１床パネル２０の上面および第２床パネル４０の上面と面一になることが好ましい。図５に記載の例では、上板６４１は、平面視で、略矩形形状を有する。図５に記載の例では、嵌合部６４２は、道具を用いることなく、上階側フレーム部材２３および下階側フレーム部材４３に嵌合可能である。例えば、後部延長ステージ６４を上方から下方に向かって移動させると、嵌合部６４２が、上階側フレーム部材２３および下階側フレーム部材４３に嵌合する（換言すれば、嵌合部６４２と上階側フレーム部材２３および下階側フレーム部材４３との間の嵌合は、抜き差し自在な嵌合である。）。補強側板６４３は、上板６４１に作用する荷重の少なくとも一部を支持する。図５に記載の例では、第１補強側板６４３ａが、上板６４１の第１端部（上板６４１の長手方向に沿う方向における一端部）に配置され、第２補強側板６４３ｂが、上板６４１の第２端部（上板６４１の長手方向に沿う方向における他端部）に配置されている。図５に記載の例では、各補強側板６４３が、正面視で、略三角形形状を有するが、各補強側板６４３の形状は、三角形形状に限定されず任意である。連結部材６４４は、第１補強側板６４３ａと第２補強側板６４３ｂとを接続し、後部延長ステージ６４全体の強度を向上させる部材である。図５に記載の例では、連結部材６４４は棒状の部材である。
【００４７】
なお、後部延長ステージ６４は、上階側フレーム部材２３および下階側フレーム部材４３に対して着脱自在である。このため、必要に応じて、後部延長ステージ６４を上階側フレーム部材２３および下階側フレーム部材４３に取り付けること（または、取り外すこと）ができる。後部延長ステージ６４の取り付けは、階段用作業足場の組み立て作業において、どのタイミングで行われてもよい。なお、階段の奥行が相対的に短い等の場合には、後部延長ステージ６４は使用されなくてもよい。
【００４８】
第１突っ張り部材８０ａは、廻り階段用の階段用作業足場において使用される片側突っ張り部材である。第１突っ張り部材８０ａは、支柱または脚部に装着される取付部８１ａと、階段室の側壁（より具体的には、下階側階段と上階側階段との間に配置される間仕切壁）に接触する１つの接触部８２ａとを含む。１つ目の第１突っ張り部材８０ａ（取付部８１ａ）は、下階側部材４に固定される。２つ目の第１突っ張り部材８０ａ（取付部８１ａ）は、上階側部材２に固定される。そして、階段室の間仕切壁が、１つ目の第１突っ張り部材８０ａと２つ目の第１突っ張り部材８０ａとによって挟まれる。
【００４９】
第２突っ張り部材８０ｂは、直線階段用の階段用作業足場において使用される両側突っ張り部材である。第２突っ張り部材８０ｂは、支柱または脚部に装着される取付部８１ｂと、階段室の側壁に接触する２つの接触部８２ｂとを含む。一方の接触部８２ｂは、階段室の左側壁に接触し、他方の接触部８２ｂは、階段室の右側壁に接触する。
【００５０】
支柱ブラケット６５は、上階側フレーム部材２３または下階側フレーム部材４３に取り付けられ、手摺用支柱６７を支持する部材である。
【００５１】
手摺用支柱６７は、支柱ブラケット６５に取り付けられ、手摺６９を支持する部材である。
【００５２】
なお、階段用作業足場１の部品はキットとして提供されてもよい。この場合、直線階段用の階段用作業足場の部品群がキットとして提供されてもよい。代替的に、廻り階段用の階段用作業足場の部品群がキットとして提供されてもよい。さらに代替的に、直線階段用の階段用作業足場の部品群と、廻り階段用の階段用作業足場の部品群との両方がキットとして提供されてもよい。図５に示された部品のうち、少なくとも、上階側ベース部材２２（１台）と、下階側ベース部材４２（１台）と、上階側フレーム部材２３（２台）と、下階側フレーム部材４３（２台）と、中間支柱４４（２台）と、中間板４５（１枚）とは、直線階段用の階段用作業足場および廻り階段用の階段用作業足場で共用される部品である。よって、直線階段用の階段用作業足場の部品群と、廻り階段用の階段用作業足場の部品群との両方がキットとして提供される場合でも、キットの部品点数は比較的少なくて済む。
【００５３】
（直線階段用の階段用作業足場の設置方法）
次に、図１、図２および図６を参照して、直線階段用の階段用作業足場の設置方法の一例について説明する。図６は、階段用作業足場の設置方法の一例を示すフローチャートである。
【００５４】
第１ステップＳＴ１において、上階側ベース部材２２の各脚部（２２１〜２２４）の長さが調整され、下階側ベース部材４２の各脚部（４２１〜４２４）の長さが調整される。なお、第１ステップＳＴ１は省略されてもよい。
【００５５】
第２ステップＳＴ２において、上階側ベース部材２２と下階側ベース部材４２とが、階段上に立設される。なお、上階側ベース部材２２と階段室の側壁９０との間には、人が通過可能な空間が設けられ、下階側ベース部材４２と階段室の側壁９０との間には、人が通過可能な空間が設けられる。
【００５６】
第３ステップＳＴ３において、上階側フレーム部材２３が上階側ベース部材２２の上部に取り付けられる。
【００５７】
第４ステップＳＴ４において、中間支柱４４（梯子支柱）が、下階側ベース部材４２の上部に取り付けられる。
【００５８】
第５ステップＳＴ５において、中間板４５が、２つの中間支柱４４間に架け渡される。
【００５９】
第６ステップＳＴ６において、下階側フレーム部材４３が、中間支柱４４の上部に取り付けられる。なお、第６ステップＳＴ６は、第５ステップＳＴ５の前に実行されてもよい。また、第４ステップＳＴ４乃至第６ステップＳＴ６は、第３ステップＳＴ３の前に実行されてもよし、後に実行されてもよい。
【００６０】
第７ステップＳＴ７において、ベース部材固定具７２が、左右の脚部間を連結するように配置される。例えば、１つ目のベース部材固定具７２が、上階側右側脚部２２１と上階側左側脚部２２２とを連結するように設置され、２つ目のベース部材固定具７２が、下階側右側脚部２２３と下階側左側脚部２２４とを連結するように配置され、３つ目のベース部材固定具７２が、上階側右側脚部４２１と上階側左側脚部４２２とを連結するように設置され、４つ目のベース部材固定具７２が、下階側右側脚部４２３と下階側左側脚部４２４とを連結するように配置される。
【００６１】
第８ステップＳＴ８において、第２連結具７４が、上階側部材２（より具体的には、上階側ベース部材２２）と下階側部材４（より具体的には、中間支柱４４）とを連結するように配置される。
【００６２】
第９ステップＳＴ９において、第２突っ張り部材８０ｂが、支柱または脚部に装着される。また、第２突っ張り部材８０ｂが伸長されて、第２突っ張り部材８０ｂが階段室の左壁および右壁を押圧する。こうして、直線階段用の階段用作業足場１Ａが、階段室の左壁と右壁との間において固定される。なお、図１に記載の例では、第２突っ張り部材８０ｂは、中間支柱４４（梯子支柱）に装着されている。
【００６３】
第１０ステップＳＴ１０において、第１床パネル２０が、上階側フレーム部材２３の上部に取り付けられ、第２床パネル４０が、下階側フレーム部材４３の上部に取り付けられる。
【００６４】
第１１ステップＳＴ１１において、第１床パネル２０の隣にサイド延長ステージ６２が設置され、第２床パネル４０の隣に別のサイド延長ステージ６２が設置される。なお、サイド延長ステージ６２と階段室の壁面との間の距離は、３０ｃｍ以下であり、別のサイド延長ステージ６２と階段室の壁面との間の距離は、３０ｃｍ以下である。
【００６５】
第１２ステップＳＴ１２において、第１床パネル２０と第２床パネル４０との間に、第２渡し床パネル６０ｂが設置される。
【００６６】
以上の工程により、直線階段用の階段用作業足場の設置が完了する。
【００６７】
なお、第１１ステップＳＴ１１および第１２ステップＳＴ１２は、手摺設置工程によって置換されてもよい。この場合、手摺設置工程は、以下の第１１ステップＳＴ１１乃至第１４ステップＳＴ１４を含む。
【００６８】
第１１ステップＳＴ１１において、第１床パネル２０と第２床パネル４０との間に、第３渡し床パネル６０ｃが設置される。第１２ステップＳＴ１２において、複数の支柱ブラケット６５が、上階側フレーム部材２３および下階側フレーム部材４３に取り付けられる。第１３ステップＳＴ１３において、複数の手摺用支柱６７の各々が、対応する支柱ブラケット６５に取り付けられる。第１４ステップＳＴ１４において、手摺６９が、複数の手摺用支柱６７に取り付けられる。
【００６９】
上述の直線階段用の階段用作業足場の設置方法では、上階側部材２（上階側ベース部材２２）と階段室の側壁９０との間に、人が通過可能な空間が設けられ、下階側部材４（下階側ベース部材４２）と階段室の側壁９０との間には、人が通過可能な空間が設けられる。このため、作業者が階段を往来する際の負担が軽減される。
【００７０】
（廻り階段用の階段用作業足場の設置方法）
次に、図３および図６乃至図８を参照して、廻り階段用の階段用作業足場の設置方法の一例について説明する。図６は、階段用作業足場の設置方法の一例を示すフローチャートである。図７は、廻り階段用の階段用作業足場の設置後の状態を模式的に示す概略平面図である。図８は、突っ張り部材８０ａが間仕切壁９０ｄを押圧している様子を模式的に示す図である。
【００７１】
第１ステップＳＴ１において、上階側ベース部材２２の各脚部（２２１〜２２４）の長さが調整され、下階側ベース部材４２の各脚部（４２１〜４２４）の長さが調整される。なお、第１ステップＳＴ１は省略されてもよい。
【００７２】
第２ステップＳＴ２において、上階側ベース部材２２と下階側ベース部材４２とが、階段上に立設される。なお、上階側ベース部材２２と階段室の上階側側壁９０ａ（必要であれば、図７を参照。）との間には、人が通過可能な空間が設けられる。また、下階側ベース部材４２と階段室の下階側側壁９０ｂ（必要であれば、図７を参照。）との間には、人が通過可能な空間が設けられる。なお、階段室が廻り階段用の階段室である場合には、上階側ベース部材２２および下階側ベース部材４２と、階段室の奥側の側壁９０ｃとの間にも、人が通過可能な空間が設けられる。なお、図７に記載の例では、サイド延長ステージ６２ａの下方の空間、サイド延長ステージ６２ｂの下方の空間、および、後部延長ステージ６４の下方の空間が、人が通過可能な空間である。
【００７３】
図３に示されるように、第３ステップＳＴ３において、上階側フレーム部材２３が上階側ベース部材２２の上部に取り付けられる。
【００７４】
第４ステップＳＴ４において、中間支柱４４（梯子支柱）が、下階側ベース部材４２の上部に取り付けられる。
【００７５】
第５ステップＳＴ５において、中間板４５が、２つの中間支柱４４間に架け渡される。
【００７６】
第６ステップＳＴ６において、下階側フレーム部材４３が、中間支柱４４の上部に取り付けられる。なお、第６ステップＳＴ６は、第５ステップＳＴ５の前に実行されてもよい。また、第４ステップＳＴ４乃至第６ステップＳＴ６は、第３ステップＳＴ３の前に実行されてもよし、後に実行されてもよい。
【００７７】
第７ステップＳＴ７において、ベース部材固定具７２が、左右の脚部間を連結するように配置される。例えば、１つ目のベース部材固定具７２が、上階側右側脚部２２１と上階側左側脚部２２２とを連結するように設置され、２つ目のベース部材固定具７２が、下階側右側脚部２２３と下階側左側脚部２２４とを連結するように配置され、３つ目のベース部材固定具７２が、上階側右側脚部４２１と上階側左側脚部４２２とを連結するように設置され、４つ目のベース部材固定具７２が、下階側右側脚部４２３と下階側左側脚部４２４とを連結するように配置される。
【００７８】
第８ステップＳＴ８において、第１床パネル２０が、上階側フレーム部材２３の上部に取り付けられ、第２床パネル４０が、下階側フレーム部材４３の上部に取り付けられる。
【００７９】
第９ステップＳＴ９において、第１床パネル２０と第２床パネル４０との間に、第１渡し床パネル６０ａが設置される。
【００８０】
第１０ステップＳＴ１０において、第１連結具７３が、上階側部材２（より具体的には、上階側ベース部材２２）と下階側部材４（より具体的には、中間支柱４４）とを連結するように配置される。
【００８１】
第１１ステップＳＴ１１において、第１突っ張り部材８０ａが、支柱または脚部に装着される。また、図８に示されるように、第１突っ張り部材８０ａが伸長されて、第１突っ張り部材８０ａが階段室の間仕切壁９０ｄを押圧する。より具体的には、上階側部材２（例えば、上階側フレーム部材２３）に取り付けられた１つ目の突っ張り部材８０ａ−１が、間仕切壁の第１面９０ｄ−１を押圧し、下階側部材４（例えば、中間支柱４４）に取り付けられた２つ目の突っ張り部材８０ａ−２が、間仕切壁の第２面９０ｄ−２を押圧する。こうして、廻り階段用の階段用作業足場が、階段室の間仕切壁９０ｄに固定される。
【００８２】
第１２ステップＳＴ１２において、第１床パネル２０の隣にサイド延長ステージ６２ａが設置され、第２床パネル４０の隣に別のサイド延長ステージ６２ｂが設置される（図７を参照）。なお、サイド延長ステージ６２ａと階段室の上階側側壁９０ａとの間の距離は、３０ｃｍ以下であり、サイド延長ステージ６２ｂと階段室の下階側側壁９０ｂとの間の距離は、３０ｃｍ以下である。
【００８３】
第１３ステップＳＴ１３において、第１床パネル２０および第２床パネル４０に隣接するように後部延長ステージ６４が設置される。なお、後部延長ステージ６４と階段室の奥側の側壁９０ｃとの間の距離は、３０ｃｍ以下である。
【００８４】
以上の工程により、廻り階段用の階段用作業足場の設置が完了する。
【００８５】
上述の廻り階段用の階段用作業足場の設置方法では、上階側部材２（上階側ベース部材２２）と階段室の上階側側壁９０ａとの間には、人が通過可能な空間が設けられ、下階側部材４（下階側ベース部材４２）と階段室の下階側側壁９０ｂとの間には、人が通過可能な空間が設けられ、上階側部材２および下階側部材４と階段室の奥側の側壁９０ｃとの間には、人が通過可能な空間が設けられる。このため、作業者が階段を往来する際の負担が軽減される。
【００８６】
本発明は上記実施形態に限定されず、本発明の技術思想の範囲内において、実施形態は適宜変形または変更され得ることが明らかである。また、実施形態において、任意の構成要素を追加すること、任意の構成要素を変形すること、任意の構成要素を省略することが可能である。
【産業上の利用可能性】
【００８７】
本発明の階段用作業足場を用いると、階段用作業足場が設置された後において、作業者が階段を往来する際の負担が軽減される。したがって、階段用作業足場を用いて作業を実施する業者にとって有用である。
【符号の説明】
【００８８】
１…階段用作業足場、１Ａ…直線階段用作業足場、１Ｂ…廻り階段用作業足場、２…上階側部材、４…下階側部材、２０…第１床パネル、２２…上階側ベース部材、２３…上階側フレーム部材、４０…第２床パネル、４２…下階側ベース部材、４３…下階側フレーム部材、４４…中間支柱、４５…中間板、６０…渡し床パネル、６０ａ…第１渡し床パネル、６０ｂ…第２渡し床パネル、６０ｃ…第３渡し床パネル、６２、６２ａ、６２ｂ…サイド延長ステージ、６４…後部延長ステージ、６５…支柱ブラケット、６７…手摺用支柱、６９…手摺、７２…ベース部材固定具、７３…第１連結具、７４…第２連結具、７５…クランプ、８０…突っ張り部材、８０ａ…第１突っ張り部材、８０ｂ…第２突っ張り部材、８０ａ−１、８０ａ−２…突っ張り部材、８１、８１ａ、８１ｂ…取付部、８２、８２ａ、８２ｂ…接触部、９０…側壁、９０ａ…上階側側壁、９０ｂ…下階側側壁、９０ｃ…奥側の側壁、９０ｄ…間仕切壁、９０ｄ−１…第１面、９０ｄ−２…第２面、２２１…上階側右側脚部、２２２…上階側左側脚部、２２３…下階側右側脚部、２２４…下階側左側脚部、２２５…連結部材、４２１…上階側右側脚部、４２２…上階側左側脚部、４２３…下階側右側脚部、４２４…下階側左側脚部、４２５…連結部材、６２１…上板、６２２…嵌合部、６２３…補強側板、６２３ａ…第１補強側板、６２３ｂ…第２補強側板、６２４…連結部材、６４１…上板、６４２…嵌合部、６４３…補強側板、６４３ａ…第１補強側板、６４３ｂ…第２補強側板、６４４…連結部材、ＳＰ１…空間、ＳＰ２…空間
【図１】
2019099996.tif 000003
【図２】
2019099996.tif 000004
【図３】
2019099996.tif 000005
【図４】
2019099996.tif 000006
【図５】
2019099996.tif 000007
【図６】
2019099996.tif 000008
【図７】
2019099996.tif 000009
【図８】
2019099996.tif 000010